(57)【要約】【課題】利用者の個人情報の開示の有無に応じて、印刷する広告情報に含まれる付加価値情報を変更し、開示率の向上を図りつつ業者への再来訪率を増加可能にするとともに、広告主に対する広告料を相違させる。【解決手段】入力部により個人情報を出力するか否かの指示を受けて、個人情報を印刷する指示を受け付けた場合に、シート材に個人情報と広告情報とを印刷し、個人情報を印刷しない指示を受け付けた場合に、広告情報のみ印刷する。さらに、入力部により受け付けられた個人情報を印刷するか否かの指示に応じて、シート材に印刷する広告情報に含まれる付加価値情報を変更する。また、個人情報を出力するか否かの指示に応じ、それぞれの印刷物における印刷枚数を累計することにより、広告主に対する広告料としての課金額を変更する。【選択図】        図７
2004286775.tif 000002
【特許請求の範囲】
【請求項１】
記録媒体に情報を印刷可能に構成された印刷手段と、
広告情報が記憶された広告情報記憶手段と、
個人情報を入力可能に構成された個人情報入力手段と、
前記個人情報を出力するか否かの指示を受付可能に構成された受付手段と、
付加価値情報が記憶された付加価値情報記憶手段とを有し、
前記印刷手段が、前記受付手段により受け付けられた入力に応じて、前記広告情報および前記個人情報の印刷と、前記広告情報の印刷とを、選択的に実行するとともに、
前記受付手段により受け付けられた指示に応じて、前記印刷手段により印刷される前記広告情報に含まれる付加価値情報を変更可能に構成されている
ことを特徴とする広告印刷装置。
【請求項２】
記録媒体に情報を印刷可能に構成された印刷手段と、
広告情報が記憶された広告情報記憶手段と、
個人情報を入力可能に構成された個人情報入力手段と、
前記個人情報を出力するか否かの指示を受付可能に構成された受付手段と、
数値を累計する累計算出手段とを有し、
前記累計算出手段が、前記受付手段により受け付けられた、前記個人情報を出力するか否かの指示に基づいて決定される数値を、それぞれ累計するとともに、前記印刷手段が、前記受付手段により受け付けられた入力に応じて、前記広告情報および前記個人情報の印刷と広告情報の印刷とを、選択的に実行可能に構成されている
ことを特徴とする広告印刷装置。
【請求項３】
記録媒体に情報を印刷可能に構成された印刷手段と、
広告情報が記憶された広告情報記憶手段と、
個人情報を入力可能に構成された個人情報入力手段と、
前記個人情報を出力するか否かの指示を受付可能に構成された受付手段と、
課金を行う課金手段とを有し、
前記課金手段が、前記受付手段により受け付けられた入力に応じて料金を課金するとともに、
前記印刷手段が、前記受付手段により受け付けられた入力に応じて、前記広告情報および前記個人情報の印刷と、広告情報のみの印刷とを、選択的に実行するように構成された
ことを特徴とする広告印刷装置。
【請求項４】
個人情報入力手段に入力された個人情報を出力するか否かの指示を受ける受付手段が、前記個人情報を印刷する指示を受け付けた場合に、記録媒体に情報を印刷可能に構成された印刷手段が、広告情報記憶手段に記憶された広告情報と前記個人情報とを記録媒体に印刷し、
前記受付手段が、前記個人情報を印刷しない指示を受け付けた場合に、前記印刷手段が、前記広告情報記憶手段に記憶された前記広告情報を前記記録媒体に印刷し、
前記受付手段により受け付けられた個人情報を印刷するか否かの指示に応じて、前記記録媒体に印刷される前記広告情報に含まれる付加価値の情報を変更する
ことを特徴とする広告印刷方法。
【請求項５】
個人情報入力手段に入力された個人情報を出力するか否かの指示を受ける受付手段が、前記個人情報を印刷する指示を受け付けた場合に、記録媒体に情報を印刷可能に構成された印刷手段が、広告情報記憶手段に記憶された広告情報と前記個人情報とを記録媒体に印刷し、
前記受付手段が、前記個人情報を印刷しない指示を受け付けたときに、前記印刷手段が、前記広告情報記憶手段に記憶された前記広告情報のみを印刷し、
前記受付手段により受け付けられた指示に基づいて課金額を変更する
ことを特徴とする広告印刷方法。
【発明の詳細な説明】
【０００１】
【発明の属する技術分野】
本発明は、広告印刷装置および広告印刷方法に関し、特に、利用者の所望する広告を印刷する広告印刷に適用して好適なものである。
【０００２】
【従来の技術】
利用者がプリントショップやコンビニエンスストアなどで画像を印刷する際、プリント画像などの、裏面に広告が施された記録媒体の印刷面に画像を印刷し、そのプリント費用の一部以上の費用をプリント画像裏面の広告掲載者が負担する商用印刷システムが存在する（特許文献１）。
【０００３】
この特許文献１に記載された発明によれば、利用者のプリント費用を軽減できるという利点がある。また、この特許文献１に記載された発明のほかにも、同様の技術が特許文献２〜６において提案されている。
【０００４】
他方、従来、割引券を発行している店舗も存在している。そして、このような店舗において、利用者が買物や支払いを行うときに、この店舗の割引券を提示することにより、割引券に記載されている金額や条件に基づいて、支払金額を割り引く仕組みが存在する。
【０００５】
この割引券の存在によって、業者側の店舗においては、利用客数を増やすことができる。また、割引券に利用者の氏名や住所などを記載してもらうことにより、顧客管理を容易にしている。
【０００６】
【特許文献１】
特開２００２−２７９２９２号公報
【特許文献２】
特開２００１−２４９４１５号公報
【特許文献３】
特開２００２−１９７３４７号公報
【特許文献４】
特開２００２−０５７９６８号公報
【特許文献５】
特開２００２−１３２６３７号公報
【特許文献６】
特開２００１−０７７９５３号公報
【０００７】
【発明が解決しようとする課題】
しかしながら、上述した従来の広告印刷装置および広告印刷方法には、次のような問題があった。すなわち、利用者が広告情報を印刷して、この広告情報が印刷された割引券などを有する利用者に対し、実際に値段を割り引くなどの付加価値を提供する場合、業者側は通常の割り引きを行うのみで、その利用客の再度の来訪を促す方法がなかった。
【０００８】
そこで、業者側は、利用者の個人情報を集積して顧客名簿を作成し、この顧客名簿を利用してリピータを確保するために、例えば、印刷された割引券などを使用する利用者に対して、アンケートや住所・氏名の記入などの手法によって利用者の個人情報を開示してもらう方法を採用せざるを得なかった。
【０００９】
したがって、この発明の目的は、利用者による個人情報の開示の有無によって、付加価値を変化させて提供することができ、これによって、利用者の個人情報の開示率を向上させることができるとともに、業者側にとって容易にリピータを確保することができる広告印刷装置および広告印刷方法を提供することにある。
【００１０】
また、この発明の他の目的は、利用者に関する情報の有無に応じて、広告主に対する広告料を、それぞれ相違させることができる広告印刷装置および広告印刷方法を提供することにある。
【００１１】
【課題を解決するための手段】
上記目的を達成するために、本発明の第１の発明は、
記録媒体に情報を印刷可能に構成された印刷手段と、
広告情報が記憶された広告情報記憶手段と、
個人情報を入力可能に構成された個人情報入力手段と、
個人情報を出力するか否かの指示を受付可能に構成された受付手段と、
付加価値情報が記憶された付加価値情報記憶手段とを有し、
印刷手段が、受付手段により受け付けられた入力に応じて、広告情報および個人情報の印刷と、広告情報の印刷とを、選択的に実行するとともに、
受付手段により受け付けられた指示に応じて、印刷手段により印刷される付加価値情報を変更可能に構成されている
ことを特徴とする広告印刷装置である。
【００１２】
本発明の第２の発明は、
記録媒体に情報を印刷可能に構成された印刷手段と、
広告情報が記憶された広告情報記憶手段と、
個人情報を入力可能に構成された個人情報入力手段と、
個人情報を出力するか否かの指示を受付可能に構成された受付手段と、
数値を累計する累計算出手段とを有し、
累計算出手段が、受付手段により受け付けられた、個人情報を出力するか否かの指示に基づいて決定される数値を、それぞれ累計するとともに、
印刷手段が、受付手段により受け付けられた入力に応じて、広告情報および個人情報の印刷と広告情報のみの印刷とを、選択的に実行可能に構成されている
ことを特徴とする広告印刷装置である。
【００１３】
本発明の第３の発明は、
記録媒体に情報を印刷可能に構成された印刷手段と、
広告情報が記憶された広告情報記憶手段と、
個人情報を入力可能に構成された個人情報入力手段と、
個人情報を出力するか否かの指示を受付可能に構成された受付手段と、
課金を行う課金手段とを有し、
課金手段が、受付手段により受け付けられた入力に応じて料金を課金するとともに、
印刷手段が、受付手段により受け付けられた入力に応じて、広告情報および個人情報の印刷と、広告情報のみの印刷とを、選択的に実行するように構成された
ことを特徴とする広告印刷装置である。
【００１４】
本発明の第４の発明は、
個人情報入力手段に入力された個人情報を出力するか否かの指示を受ける受付手段が、個人情報を印刷する指示を受け付けた場合に、記録媒体に情報を印刷可能に構成された印刷手段が、広告情報記憶手段に記憶された広告情報と個人情報とを記録媒体に印刷し、
受付手段が、個人情報を印刷しない指示を受け付けた場合に、印刷手段が、広告情報記憶手段に記憶された広告情報を記録媒体に印刷し、
受付手段により受け付けられた個人情報を印刷するか否かの指示に応じて、記録媒体に印刷される広告情報に含まれる付加価値の情報を変更する
ことを特徴とする広告印刷方法である。
【００１５】
本発明の第５の発明は、
個人情報入力手段に入力された個人情報を出力するか否かの指示を受ける受付手段が、個人情報を印刷する指示を受け付けた場合に、記録媒体に情報を印刷可能に構成された印刷手段が、広告情報記憶手段に記憶された広告情報と個人情報とを記録媒体に印刷し、
受付手段が、個人情報を印刷しない指示を受け付けたときに、印刷手段が、広告情報記憶手段に記憶された広告情報のみを印刷し、
受付手段により受け付けられた指示に基づいて課金額を変更する
ことを特徴とする広告印刷方法である。
【００１６】
本発明の技術的思想は、必ずしも上述のみに限定されるものではなく、上述した複数の発明を、適宜、任意に組み合わせることにより実現される技術的思想をも包含するものである。
【００１７】
本発明による広告印刷装置の構成および広告印刷方法によれば、広告主である業者は、付加価値情報とともに広告を利用者に印刷してもらうことが可能となる。また、本発明によれば、例えば割引券などの付加価値が印刷された記録媒体に、利用者名や電話番号などの個人情報を印刷してもらうことによって、顧客の個人情報を容易に得ることができ、顧客管理を行うことが可能となる。
【００１８】
また、本発明による広告印刷装置の構成および広告印刷方法によれば、広告印刷装置の設置者は、広告主から、広告料を徴収することができる。そして、個人情報と広告情報とをともに印刷した場合には、利用者が来店する可能性が高いと考えられるため、単なる広告の印刷に比べて、高額の広告料金を徴収することが可能になるとともに、利用者においても、単なる割引券などの付加価値を印刷するよりも、これらの個人情報とともに印刷することにより、より高程度の付加価値を有する記録媒体（印刷物）を得ることができたり、より割引率の高いサービスを受けたりすることができるなど、種々の特典を享受することができるようになる。
【００１９】
【発明の実施の形態】
以下、本発明の実施形態について図面を参照しながら説明する。なお、以下の実施形態の全図においては、同一または対応する部分には同一の符号を付す。
【００２０】
まず、本発明の一実施形態による広告印刷装置について説明する。図１に、この一実施形態による広告印刷装置の構造を示す。
【００２１】
図１に示すように、この一実施形態による広告印刷装置は、制御部１と、一覧表示用メモリ２と、表示用広告用メモリ３と、個人情報記憶用メモリ４と、印刷回数記憶用メモリ５と、印刷広告用メモリ６とを有して構成されている。また、この広告印刷装置には、制御部１からの出力を外部に表示するための表示部７と、外部から通信による読み込みや、キーボード、タッチパネルなどを用いた直接入力を行うための入力部８と、制御部１から供給されたデータを印刷物として出力するための印刷部９とが設けられている。
【００２２】
制御部１は、例えば、中央演算処理装置（ＣＰＵ）と、処理プログラムが記憶された読み出し専用メモリ（ＲＯＭ）や書き換え可能メモリ（ＲＡＭ）（いずれも図示せず）とを有して構成されている。そして、この制御部１により、表示部７に種々の表示が行われたり、入力部８からの入力を受け付けたり、印刷部９に対して広告情報を印刷させたりする。
【００２３】
制御部１は、一覧表示用メモリ２、表示用広告用メモリ３、個人情報記憶用メモリ４、印刷回数記憶用メモリ５および印刷広告用メモリ６にそれぞれ接続されており、これらのメモリとの間において、情報データを入出力可能に構成されている。
【００２４】
一覧表示用メモリ２は、図２に示すように、この一実施形態による広告主の識別子ＩＤ、名称および種類を少なくとも記憶可能に構成されている。また、表示用広告用メモリ３は、図３に示すように、広告主の識別子ＩＤと、この識別子ＩＤに対応付けされた広告内容を含む広告情報とが記憶可能に構成されている。
【００２５】
また、個人情報記憶用メモリ４は、利用者により、入力部８のキーボードやタッチパネルなどから入力されたり、入力部８に携帯端末が接続されて読み取られたりした、個人情報を記憶するためのメモリである。そして、制御部１により、この個人情報記憶用メモリ４に記憶された種々の個人情報を読み出し可能に構成されている。
【００２６】
この個人情報記憶用メモリ４においては、図４に示すように、例えば、利用者の名前や名称、年齢、電話番号、電子メールアドレスおよび画像ファイルを記憶可能に構成されている。なお、個人情報としては、必ずしもこれらの項目に限られるものではなく、利用者固有の情報であれば、どのような情報であってもよい。具体的には、入力可能な個人情報として、例えば、利用者の、誕生年月日、出身地、住所の郵便番号および番地、または勤務地などを採用することが可能である。
【００２７】
また、印刷回数記憶用メモリ５は、印刷される広告情報ごとに、広告主の識別子ＩＤに対応付けされて、その広告主ごとの印刷回数の累計を記憶するための記憶手段である。すなわち、図５に示すように、広告主の識別子ＩＤと、個人情報付き印刷の回数と、個人情報なし印刷の回数とにおける、それぞれの累計をそれぞれ記憶可能に構成されている。
【００２８】
すなわち、印刷部９により所定の広告が印刷されるたびに、制御部１により印刷回数記憶用メモリ５における、印刷された広告に該当する広告主の識別子ＩＤが検索されて、この識別子ＩＤに対応した印刷回数が１回ずつ加算される。
【００２９】
また、これらの印刷回数は、例えば、「個人情報付き印刷」を１回行うたびに例えば１００円の広告料、「個人情報なし印刷」を１回行うたびに例えば３０円の広告料を、広告主に対して請求する際の、広告料のデータとなる。これにより、個々の広告主に対して、印刷された広告情報の枚数に応じた広告料を請求することができるようになるため、広告料の請求を公平に行うことができる。なお、制御部１において、個々の広告主ごとに、印刷枚数１枚あたりの請求額を変えるように設定することも可能である。
【００３０】
また、印刷広告用メモリ６は、広告主の識別子ＩＤに対応付けされて印刷される広告情報が格納された記憶手段である。すなわち、図６に示すように、この一実施形態による印刷広告用メモリ６には、広告主の識別子ＩＤと、この識別子ＩＤに対応付けされた広告情報とが格納されている。
【００３１】
また、この一実施形態による広告情報は、個人情報とともに印刷する広告情報と、個人情報を印刷しない場合に印刷される広告情報とが、それぞれ広告主の識別子ＩＤに対応付けされて記憶されている。
【００３２】
そして、入力部８が利用者から受け付けた入力情報に基づいて、制御部１によって印刷すべき広告情報が選択される。すなわち、利用者から入力部８に入力された入力情報が、個人情報を印刷するという情報である場合、この入力情報に応じて、印刷部９により個人情報とともに、個人情報を印刷する場合の広告情報（図６中、中央欄）がともに印刷され、他方、入力情報が、個人情報を印刷しないという情報である場合、個人情報を印刷しない場合の広告情報（図６中、右欄）が印刷される。なお、広告情報として「なし」の場合には、広告情報それ自体を印刷しないようにするようにしても良く、選択できないようにすることも可能である。
【００３３】
次に、以上のように構成されたこの一実施形態による広告印刷装置を用いた広告印刷方法について説明する。図７に、この一実施形態による広告印刷方法のフローチャートを示す。
【００３４】
図７に示すように、この一実施形態による広告印刷方法においては、まず、制御部１により、一覧表示用メモリ２に記憶された情報データが表示部７に供給される。これにより、図２Ｂに示すように、広告主の識別子ＩＤ以外の、名称および種類の一覧が表示部７に表示される（ステップＳＴ１）。
【００３５】
次に、利用者が、これらの一覧から例えばキーボードの押下やタッチパネルの接触によって、所望とする名称を選択し、入力部８により、この入力が受け付けられると、入力情報に応じた識別子ＩＤデータが制御部１に供給される。そして、識別子ＩＤデータが入力された制御部１により、表示用広告用メモリ３から、この識別子ＩＤデータに基づいた広告情報が読み出されて、表示部７に供給される。表示部７には、この読み出された広告情報が表示される（ステップＳＴ３）。
【００３６】
具体的には、利用者が、表示部７に表示された一覧から、例えば「レストラン伊藤」を選択すると、入力部８から制御部１に、識別子ＩＤデータとして、「１００２」が供給される。この識別子ＩＤデータが供給された制御部１により、表示用広告用メモリ３から、図３に示す識別子ＩＤ「１００２」に対応付けされた広告情報が読み出され、この広告情報が表示部７に供給されて、例えば図８に示すように表示される。
【００３７】
その後、図７に示すステップＳＴ４に移行して、制御部１により、表示部７に、個人情報と広告情報とをともに印刷するか否かの入力を促す入力要求表示がされる。
【００３８】
この入力要求表示に対して、利用者が、個人情報を印刷しないという選択をし、この選択に基づいて入力部８を用いて入力すると、ステップＳＴ１１に移行する。ステップＳＴ１１においては、制御部１により、ステップＳＴ２において選択された識別子ＩＤデータに対応付けされた、図６に示す、個人情報を印刷しない場合の広告情報が読み出される。そして、この広告情報が制御部１から印刷部９に供給され、個人情報を印刷しない場合の広告情報が印刷される。
【００３９】
具体的には、例えば、ステップＳＴ２において、利用者が「レストラン伊藤」を選択していた場合、印刷広告用メモリ６における図６に示すデータテーブルから、個人情報を印刷しない場合の広告情報「レストラン伊藤：…スープ無料…」が読み出される。この広告情報は、制御部１から印刷部９に供給され、印刷部９により記録媒体のシート材に、例えば図９Ｂに示す広告が印刷されて出力される。
【００４０】
その後、制御部１により、印刷回数記憶用メモリ５に対して、ステップＳＴ２において入力された識別子ＩＤに対応したメモリ領域に、個人情報なし印刷回数の累計値（図５参照）が１加算され（ステップＳＴ１２）、一連の広告印刷処理が終了する。
【００４１】
他方、ステップＳＴ４において、利用者が、広告情報とともに個人情報を印刷する選択を入力部８に入力すると、制御部１により、表示部７に、利用者の所持する携帯電話などの携帯端末と、この一実施形態による広告印刷装置との接続要求が表示される（ステップＳＴ５）。
【００４２】
そして、利用者が、その所持する携帯端末を接続しないと、上述したステップＳＴ１１およびステップＳＴ１２が順次実行されて、個人情報を印刷しない場合の広告情報が印刷されて出力され、一連の広告印刷処理が終了する。
【００４３】
他方、利用者が、その所持する携帯端末の接続を実行すると、ステップＳＴ７に移行し、制御部１により、入力部８に接続された携帯端末から個人情報が読み取られる。ここで、この携帯端末からは、例えば電話番号、電子メール、および必要に応じて携帯端末に記憶された画像ファイルが読み取られる。なお、このときに、入力部８が携帯端末から読み取るデータとしては、必ずしもこれらのデータに限られるものではなく、その他のデータを読み取るようにしても良く、例えば、携帯端末に氏名や年齢が記録されている場合には、これらの情報を読み取るようにしてもよい。
【００４４】
そして、利用者が、氏名および年齢などを入力部８から入力すると、これらの氏名および年齢などの個人情報と、読み取られた電話番号、電子メールおよび画像ファイルなどの個人情報とが対応付けされて、個人情報記憶用メモリ４に、個人情報として記憶される（ステップＳＴ８）。
【００４５】
その後、ステップＳＴ９に移行し、制御部１により、ステップＳＴ２において選択された識別子ＩＤデータに対応する、図６に示す、個人情報を印刷する場合の広告情報が読み出される。そして、制御部１により、個人情報記憶用メモリ４と印刷広告用メモリ６とから、それぞれ利用者の個人情報と、この利用者が選択した広告の広告情報とが印刷部９に供給され、個人情報と広告情報とがともに印刷される。
【００４６】
具体的には、例えば、ステップＳＴ２において、利用者（例えば「山田太郎」）が「レストラン伊藤」を選択していた場合、印刷広告用メモリ６から、図６に示すデータテーブルにおける個人情報を印刷する場合の広告情報「レストラン伊藤：……全品５％割引……」が読み出される。これとともに、個人情報記憶用メモリ４から、入力を行った利用者（ここでは、「山田太郎，４１歳，０９０−ＸＸＸＸ−ＸＸＸＸ，ＸＸＸＸ−ＸＸＸＸ．ｊｐｇ」）の個人情報が読み出される。
【００４７】
そして、制御部１により、広告情報のデータと個人情報のデータとが印刷部９に供給され、この印刷部９において、利用者が選択した広告情報と、利用者の個人情報とが、記録媒体としてのシート材に、例えば図９Ａに示すように印刷されて出力される（ステップＳＴ９）。このとき、個人情報として、取り込まれた画像を印刷したり、その他の個人情報を印刷したりすることも可能である。
【００４８】
その後、制御部１により、印刷回数記憶用メモリ５に対して、ステップＳＴ２において入力された識別子ＩＤに対応したメモリ領域に、個人情報付き印刷回数の累計値（図５参照）が１加算される（ステップＳＴ１０）。これにより、一連の広告印刷処理が終了する。
【００４９】
以上のようにして、この一実施形態による広告印刷装置を用いた広告の印刷が実行される。
【００５０】
以上、本発明の一実施形態について具体的に説明したが、本発明は、上述の一実施形態に限定されるものではなく、本発明の技術的思想に基づく各種の変形が可能である。例えば、上述の一実施形態において挙げた数値、文字列、割引率、広告情報例はあくまでも例に過ぎず、必要に応じてこれと異なる数値、文字列、割引率、広告情報例を用いてもよい。
【００５１】
また、例えば上述の一実施形態による具体例においては、個人情報を印刷する場合の付加価値情報の変更として、割引額の増額といった割引条件の変更を採用しているが、この付加価値情報としての割引金額を変更する代わりに、割引率や割引条件を変更することも可能である。なお、付加価値情報の変更とは、付加価値としての例えば割引となる対象額や、割引率などの付加価値の価値的変更をいい、具体的には、例えば、「２０００円以上の買い物で１００円の割引」を「１０００円以上の買い物で１００円の割引」に変更するようなことなどをいう。また、付加価値情報の変更として、割引などの付加価値の有無であってもよい。
【００５２】
【発明の効果】
以上説明したように、本発明による広告印刷装置の構成および広告印刷方法によれば、広告主である業者は、個人情報を広告情報とともに利用者に印刷してもらうことが可能となるので、広告主である業者にとって、割引券などを付加価値媒体として、利用者に印刷してもらうことができる。したがって、業者を利用する客数を増加させる期待可能性を向上させることができる。
【００５３】
また、本発明によれば、例えば割引券などの付加価値が印刷された記録媒体に、利用者名や電話番号などの、利用者の個人情報を印刷してもらうことにより、容易に顧客の個人情報を得ることができ、顧客管理を行うことが可能となる。個人情報を印刷してもらうことで、顧客管理を行うことができる。
【００５４】
また、本発明による広告印刷装置の構成および広告印刷方法によれば、広告印刷装置の設置者は、記録媒体への印刷量および印刷された情報の価値に応じて、広告主から公平に広告料を徴収することができる。すなわち、個人情報と広告をともに印刷した場合には、利用者が来店する可能性が高いと考えられるため、単なる広告の印刷に比べて、高額の広告料金を徴収することが可能になるとともに、利用者においても、単なる割引券を印刷するよりも、個人情報をともに印刷することにより高程度の付加価値を有する記録媒体を得たり、割引率が高くなったりするなどの特典を享受することができるようになる。
【図面の簡単な説明】
【図１】この発明の一実施形態による広告印刷装置の構造を示すブロック図である。
【図２】この発明の一実施形態による広告印刷装置における一覧表示用のデータベースを示す図である。
【図３】この発明の一実施形態による広告印刷装置における表示用広告メモリに格納された広告情報のデータベースを示す図である。
【図４】この発明の一実施形態による広告印刷装置における個人情報記憶用メモリに記憶される個人情報のデータベースを示す図である。
【図５】この発明の一実施形態による広告印刷装置における印刷回数記憶用メモリに記憶される広告主ごとの印刷回数（印刷枚数）の累計のデータベースを示す図である。
【図６】この発明の一実施形態による広告印刷装置における個人情報とともに印刷する場合の広告情報と、個人情報を印刷しない場合の広告情報と、対応する広告主とを示すデータベースの図である。
【図７】この発明の一実施形態による広告印刷方法を説明するためのフローチャートである。
【図８】この発明の一実施形態による広告印刷装置における表示部への表示例を示す平面図である。
【図９】この発明の一実施形態による広告印刷装置から出力される個人情報を印刷する場合と、印刷しない場合との印刷物の一例を示す平面図である。
【符号の説明】
１  制御部
２  一覧表示用メモリ
３  表示用広告用メモリ
４  個人情報記憶用メモリ
５  印刷回数記憶用メモリ
６  印刷広告用メモリ
７  表示部
８  入力部
９  印刷部
【図１】
2004286775.tif 000003
【図２】
2004286775.tif 000004
【図３】
2004286775.tif 000005
【図４】
2004286775.tif 000006
【図５】
2004286775.tif 000007
【図６】
2004286775.tif 000008
【図７】
2004286775.tif 000009
【図８】
2004286775.tif 000010
【図９】
2004286775.tif 000011